(57)【要約】      （修正有）【課題】積層型の熱交換器を用いる場合において、部品点数や製品重量の増加を抑えつつ、レシーバをケーシング内に配設することができる室外ユニットを提供する。【解決手段】送風機、積層型の熱交換器及びレシーバ３６を備えており、立設された仕切板３０によって、前記送風機及び熱交換器を収容する送風機室と、前記レシーバ３６を収容する機械室とに水平方向に区画されている室外ユニット。前記レシーバ３６は、前記仕切板３０の側縁３０ａに取り付けられている。レシーバ３６が取り付けられる前記仕切板３０の側縁３０ａの上下方向に沿って補強部が形成されている。【選択図】図３
2014129916.tif 000002
【特許請求の範囲】
【請求項１】
送風機（３４）、積層型の熱交換器（３３）及びレシーバ（３６）を備えており、立設された仕切板（３０）によって、前記送風機（３４）及び熱交換器（３３）を収容する送風機室（３１）と、前記レシーバ（３６）を収容する機械室（３２）とに水平方向に区画されている室外ユニット（１０）であって、
前記レシーバ（３６）は、前記仕切板（３０）の側縁（３０ａ）に取り付けられており、
レシーバ（３６）が取り付けられる前記仕切板（３０）の側縁（３０ａ）の上下方向に沿って補強部が形成されていることを特徴とする室外ユニット（１０）。
【請求項２】
前記補強部が、前記側縁（３０ａ）に固設された補強板（３９）からなる、請求項１に記載の室外ユニット（１０）。
【請求項３】
前記補強部が、前記側縁（３０ａ）に形成された縦リブ（４０）からなる、請求項１に記載の室外ユニット。
【発明の詳細な説明】
【技術分野】
【０００１】
本発明は空気調和装置の室外ユニットに関する。
【背景技術】
【０００２】
空気調和装置の室外ユニットとして、直方体形状のケーシング内に立設された仕切板によって、熱交換器や送風機等を収容する送風機室と、圧縮機やレシーバ等を収容する機械室とを水平方向に区画するタイプのものが知られている。
【０００３】
かかる室外ユニットにおいて、比較的重量が大きいレシーバを機械室内に配設する方法として、図６に示されるように、ケーシングの底板５２に固定された架台５３の上にレシーバ５４を載置する方法（例えば、特許文献１参照）があるが、この方法では、架台５３の分だけ部品点数が増えるという問題がある。
【０００４】
そこで、図７に示されるように、熱交換器６１の端部に配設される管板６２にレシーバ６３を取り付ける方法（例えば、特許文献２参照）も提案されている。この方法では、管板６２という既存の部品を利用してレシーバ６３を機械室６４内に配設することができるため、部品点数を減らすことができる。なお、図７において、符号６５及び６６は、それぞれ圧縮機及び送風機である。
【先行技術文献】
【特許文献】
【０００５】
【特許文献１】特開２００５−７６９２４号公報
【特許文献２】特開２００１−１２４４４５号公報
【発明の概要】
【発明が解決しようとする課題】
【０００６】
ところで、クロスフィン型のフィン・アンド・チューブ式熱交換器では、その構造上、チューブを支持する管板が必要であるため、当該管板にレシーバを取り付けることができるが、冷媒が通る複数の通路が並設された偏平管が上下方向に所定距離だけ離間して積層された、いわゆる積層型の熱交換器では、管板が不要であるので、当該管板を利用した取付方法を採用することができない。
【０００７】
したがって、積層型の熱交換器を用いる室外ユニットでは、レシーバをケーシングの底板に固定された架台の上に載置するか、又は、仕切板に取り付けざるを得ないが、前者の方法では、部品点数が増加するという問題があり、後者の方法では、レシーバの重量に耐えるべく仕切板の厚さを厚くする結果、製品重量が増加するという問題がある。
【０００８】
本発明は、このような事情に鑑みてなされたものであり、積層型の熱交換器を用いる場合において、部品点数や製品重量の増加を抑えつつ、レシーバをケーシング内に配設することができる室外ユニットを提供することを目的としている。
【課題を解決するための手段】
【０００９】
（１）本発明の室外ユニットは、送風機、積層型の熱交換器及びレシーバを備えており、立設された仕切板によって、前記送風機及び熱交換器を収容する送風機室と、前記レシーバを収容する機械室とに水平方向に区画されている室外ユニットであって、
前記レシーバは、前記仕切板の側縁に取り付けられており、
レシーバが取り付けられる前記仕切板の側縁の上下方向に沿って補強部が形成されていることを特徴としている。
【００１０】
本発明の室外ユニットでは、仕切板の側縁にレシーバを取り付けるに際し、当該仕切板の側縁の上下方向に沿って補強部が形成されているので、前記レシーバの重量に起因する応力の集中を抑制することができる。側縁部に補強部を形成するだけであるので、部品点数の増加はないか若しくは小さく、また、製品重量の増加も小さく抑えることができる。
なお、本明細書における「積層型の熱交換器」には、左右方向に延びる複数の偏平管（各偏平管には冷媒の通路が並設されている）が所定の間隔をあけて上下に並設され、板状のフィンが互いに所定の間隔をおいて前記偏平管の伸長方向に多数並設されるタイプ（例えば、特開２０１２−１５４４９７号公報に開示されたタイプ）だけでなく、前記のような偏平管が所定の間隔をあけて上下に並設され、互いに隣接する偏平管と偏平管の間のスペースに断面波形状や三角形状のフィンが挟みこまれたタイプも含まれる。
【００１１】
（２）前記（１）の室外ユニットにおいて、前記補強部が、前記側縁に固設された補強板からなっていてもよい。この場合、側縁に固設された補強板によって、仕切板の側縁に取り付けたレシーバの重量に起因する応力の集中を抑制することができる。
【００１２】
（３）前記（１）の室外ユニットにおいて、前記補強部が、前記側縁に形成された縦リブからなっていてもよい。この場合、側縁に形成された縦リブによって、仕切板の側縁に取り付けたレシーバの重量に起因する応力の集中を抑制することができる。また、側縁に縦リブを形成するので、補強のための部品を追加する必要がない。
【発明の効果】
【００１３】
本発明の室外ユニットによれば、積層型の熱交換器を用いる場合において、部品点数や製品重量の増加を抑えつつ、レシーバをケーシング内に配設することができる。
【図面の簡単な説明】
【００１４】
【図１】本発明の室外ユニットの一実施の形態の斜視説明図である。
【図２】図１に示される室外ユニット内部の平面説明図である。
【図３】仕切板の正面説明図である。
【図４】仕切板の背面説明図である。
【図５】仕切板の補強部の他の例の説明図である。
【図６】従来のレシーバ設置状態の一例の斜視説明図である。
【図７】従来のレシーバ設置状態の他の例の平面説明図である。
【発明を実施するための形態】
【００１５】
以下、添付図面を参照しつつ、本発明の室外ユニットの実施の形態を詳細に説明する。
図１は、本発明の一実施の形態に係る室外ユニット１０の斜視説明図であり、図２は、図１に示される室外ユニット１０の内部の平面説明図である。
室外ユニット１０は、いわゆるトランク型の室外機であり、前後壁１２、１３、左右側壁１４、１５、天井壁１６、及び底壁１７を有する直方体形状のケーシング１８を備えている。前壁１２における左側の部位には空気の吹出口２０が形成され、この吹出口２０には吹出グリル２１が被せられている。
【００１６】
前壁１２における右側の部位は、取り外し可能なメンテナンスカバー（蓋体）２３とされている。そして、このメンテナンスカバー２３を取り外すことによってケーシング１８の前面右側にはサービス用開口部２４が形成され、この開口部２４を介してケーシング１８の内部を露出し、内部に配設されている圧縮機や膨張弁等のメンテナンス等を行うことが可能となっている。なお、メンテナンスカバー２３の右端部は後方へ屈曲し、右側壁１５の前部側の一部も構成している。
【００１７】
ケーシング１８の後壁１３及び左側壁１４には、外気をケーシング１８内に吸い込み可能な吸込口（図示省略）が形成されている。また、底壁１７の下面には、現地据付箇所に固定される２つの固定脚１９が設けられている。
【００１８】
ケーシング１８を構成する各壁１２〜１７は、それぞれ１又は複数枚の金属製のパネル（板材）によって構成されており、各パネルは、固定ねじ２２等の接合手段によって互いに接合されている。
【００１９】
ケーシング１８の内部は、図２に示されるように、ケーシング１８の底壁１７に立設された断面くの字形状の仕切板３０によって、送風機室３１と、機械室３２とが水平方向に区画されている。送風機室３１内には、熱交換器３３や送風機３４等が配設されており、機械室３２内には、圧縮機３５、レシーバ３６、膨張弁３７等が配設されている。仕切板３０の一端は前壁１２に固定され、他端は後壁１３に固定されている。
【００２０】
本実施の形態のおける熱交換器３３は、一般的なクロスフィン型のフィン・アンド・チューブ式熱交換器とは異なり、冷媒が通る複数の通路が並設された偏平管３３ａが上下方向に所定距離だけ離間して積層されており、板状のフィン３３ｂが互いに所定の間隔をおいて前記偏平管３３ａの伸長方向に多数並設される、いわゆる積層型の熱交換器である。この熱交換器３３では、偏平管３３ａの両端がそれぞれヘッダ集合管３３ｃ、３３ｄに接続されており、一方のヘッダ集合管に供給された冷媒は偏平管３３ａの通路を通って他方のヘッダ集合管へ流れる。そして、偏平管３３ａを流れる間に空気との間で熱交換が行われる。
【００２１】
このような熱交換器３３では、前記ヘッダ集合管３３ｃ、３３ｄによって偏平管３３ａが支持されるため、熱交換器３３の端部には、一般的なフィン・アンド・チューブ式熱交換器における管板が配設されていない。したがって、かかる管板にレシーバを取り付けることができない。そこで、本実施の形態では、ケーシング１８の内部を送風機室３１と機械室３２とに区画する仕切板３０の後壁１３側の側縁３０ａにレシーバ３６を取り付けている。
【００２２】
図３は、レシーバ３６が取り付けられた仕切板３０を正面から見た図であり、図４は、同じく背面から見た図である。レシーバ３６は、当該レシーバ３６の長手方向（図３〜４では上下方向）において所定距離だけ離れてレシーバ３６に固定される取付板３８を利用して仕切板３０の側縁３０ａに取り付けられている。仕切板３０の側縁３０ａには、当該側縁３０ａの上下方向に沿って補強部としての補強板３９が溶着されている。補強板３９は、例えば帯状鋼板からなっている。かかる補強板３９を仕切板３０の側縁３０ａに溶着して当該側縁３０ａを補強することで、レシーバ３６の重量（数ｋｇ程度）に起因して仕切板３０の一部に応力が集中するのを抑制することができる。また、仕切板３０に補強板３９を溶着するだけであるので、部品点数の増加も小さく、又、製品重量の増加も小さい。
【００２３】
このような補強板３９を仕切板３０の側縁３０ａに上下方向に沿って取り付けた場合の効果について検証した。図３〜４に示される形状の仕切板の側縁に補強板（厚さ２．３ｍｍ）を追加した場合（実施例）と、当該補強板を追加しない状態（比較例）とについて静強度解析を行った。レシーバの重量は３．２ｋｇとした。解析結果（最大変位量、最大主応力）を表１に示す。
【００２４】
【表１】
2014129916.tif 000003
【００２５】
表１より、仕切板の側縁に上下方向に沿って補強板を取り付けることで、レシーバを当接側縁に支持させた場合に仕切板に生じる最大変位量及び最大主応力が、補強板を取り付けない場合に比べ、大幅に低減されることが分かる。
【００２６】
〔その他の変形例〕
本発明は、前述した実施の形態に限定されるものではなく、特許請求の範囲に記載された発明の範囲内において適宜変更することができる。
例えば、前述した実施の形態では、仕切板の側縁を補強する補強部として当該側縁の上下方向に沿って補強板を溶着したが、かかる補強板に代えて、例えば、図５に示されるような縦リブ４０を仕切板の側縁の上下方向に沿って形成してもよい。縦リブ４０を形成する場合でも、補強板を溶着する場合と同様、レシーバの重量に起因する応力の集中を抑制することができる。また、仕切板３０に縦リブ４０を形成するだけであるので、レシーバ３６を仕切板３０に取り付けるに際して部品点数が増加することがなく、又、製品重量が増加することもない。
【００２７】
また、前述した実施の形態では、溶着により補強板を仕切板の側縁に固定しているが、ネジやボルトなどを用いて側縁に固定してもよい。
【００２８】
また、前述した実施の形態では、仕切板の上下方向にだけ補強部が形成されているが、かかる補強部とともに、横方向や斜め方向にも補強部を形成することができる。
【符号の説明】
【００２９】
１０      室外ユニット
３０      仕切板
３０ａ    側縁
３１      送風機室
３２      機械室
３３      熱交換器
３４      送風機
３６      レシーバ
３９      補強板（補強部）
４０      縦リブ（補強部）
【図１】
2014129916.tif 000004
【図２】
2014129916.tif 000005
【図３】
2014129916.tif 000006
【図４】
2014129916.tif 000007
【図５】
2014129916.tif 000008
【図６】
2014129916.tif 000009
【図７】
2014129916.tif 000010